(57)【要約】【課題】美観を損なわずにステップの他物との接触による破損を防止できるようにしたフォークリフトを提供することを目的とする。【解決手段】フレーム１の左右両側部に設けられたステッププレート４を前輪５の上側に延出し、ステッププレート４を前方、側方及び上方から覆うと共に前輪５を上方から覆うプラスチックス製のステップ８を設けるフォークリフトにおいて、前記前輪５の上側で前記ステッププレート４の下面に固定され、前記ステップ８の下面に沿ってステップ８よりも前側及び横側に張出す平板形状に形成されたステップガード１０を備えることにより、ステッププレート４が外から見えない美観を保つと共に、他物がステップ８に接触することをなくす。【選択図】　図１
2004075339.tif 000002
【特許請求の範囲】
【請求項１】
フレームの左右両側部に設けられたステッププレートを前輪の上側に延出し、ステッププレートを前方、側方及び上方から覆うと共に前輪を上方から覆うプラスチックス製のステップを設けたフォークリフトにおいて、
前記前輪の上側で前記ステッププレートの下面に固定され、前記ステップの下面に沿ってステップよりも前側及び横側に張出す平板形状に形成されたステップガードを備えることを特徴とするフォークリフト。
【請求項２】
前記ステップガードがステッププレートの下面にボルトで取付けられることを特徴とする請求項１に記載のフォークリフト。
【請求項３】
前記ステップガードが、ステッププレートとステップとの隙間を覆い、該ステップの前縁及びこれに連続する横側縁よりも突出する平延板からなることを特徴とする請求項１又は２に記載のフォークリフト。
【請求項４】
前記ステップガードのステップから張出す外周縁部分が丸められることを特徴とする請求項１ないし３のいずれか１項に記載のフォークリフト。
【発明の詳細な説明】
【０００１】
【発明の属する技術分野】
本発明はフォークリフトに関する。
【０００２】
【従来の技術】
図７の側面図に示すように、従来、フォークリフトのフレーム１００は板枠を溶接することにより形成され、例えばクロスプレートフロント１０１等のクロスプレートにより連結された左右のラテラルプレート１０２の左右両外側にステッププレート１０３を溶接し、このステッププレート１０３を前輪１０４の上側に連出している。
【０００３】
このステッププレート１０３の上面には、運転台１０５のエプロン隅柱１０６やティルトシリンダ受け１０７が溶接される。又、このステッププレート１０３の周りの美観を高めるために、これら、ステッププレート１０３と、ラテラルプレート１０２のステッププレート１０３より上側の側面を覆うステップ１０８が設けられる。
【０００４】
このステップ１０８はプラスチック（ＦＲＰ）からなり、ステッププレート１０３よりも更に前方に張出させることにより前輪１０４のフェンダとして機能するようにしている。
【０００５】
又、図８の斜視図に示すように、ステッププレート１０３を大きく前輪１０４の上方に延出して、ステッププレート１０３を前輪１０４のフェンダとして機能させ、ステップ１０８をこのステッププレート１０３の前縁から後側に控えて設けたものもある。
【０００６】
【発明が解決しようとする課題】
ところで、図８に示した従来のフォークリフトにおいては、走行時に地面又は床から持ち上げられているフォークの高さよりも低い位置にある他物が前記ステップ１０８に衝突し、ステップ１０８が割れることがある。特に、ステップ１０８の前部には前方や横側から他物が衝突する可能性が高く、この部分で割れが発生し易い。
【０００７】
又、前記ステップ１０８の周縁とステッププレート１０３の周縁との間に隙間があり、この隙間を通ってステップ１０８内に跳ね上げられた泥を清掃することが非常に面倒になるという問題もある。
【０００８】
図９に示した他の従来例ではこれらの問題は解決できるが、ステッププレート１０３が剥き出しになっているので、安っぽく見え、美観が損なわれるという問題がある。
【０００９】
又、激しい衝突によりステッププレート１０３に歪みが生じると、その歪みの修正には多大の費用と時間がかかるという問題がある。
【００１０】
本発明は、美観を損なうことなくステップの他物との接触による破損を防止できるようにしたフォークリフトを提供することを目的とする。
【００１１】
【課題を解決するための手段】
この目的を達成するため、本発明に係るフォークリフトは、フレームの左右左右両側部に設けられたステッププレートを前輪の上側に延出し、ステッププレートを側方及び上方から覆うと共に前輪を上方から覆うプラスチック製のステップを設けたフォークリフトにおいて、前記前輪の上側で前記ステッププレートの下面に固定され、前記ステップの下面に沿ってステップよりも前側及び横側に張出す平板からなるステップガードを備えることを特徴とする、という技術的手段を採用する。
【００１２】
これによれば、前記ステッププレートはステップにより側方及び上方から覆われるので、ステッププレートが剥き出しになって安っぽく見えることがなく、美観が損なわれることはない。
【００１３】
又、前ないし横外側から他物がステップに向かうと、ステッププレートに支持させたステップガードに他物が受止められ、他物との衝突荷重がステップに作用しなくなるから、ステップが破損するおそれがなくなる。
【００１４】
更に、ステッププレートはステップガードと別体になっているので、他物の衝突によってステッププレートが変形することはほとんどなく、ステップガードが変形した場合にはステップガードのみを交換すればよい。
【００１５】
加えて、前記ステップガードは平板からなるので、安価に製造できる。
【００１６】
ところで、本発明のステップガードは、ステッププレートの下面に支持させればよく、例えば溶接、リベット、接着などによりステッププレートの下面に支持させてもよいが、前記ステッププレートの下面にボルトで取付けられるようにすると、ステップガードの着脱が容易になる上、ステップガードを簡単に取外して、特に外観を重視してステップガードなしのフォークリフトを求めるユーザの要望に対応することができる。
【００１７】
又、前記ステップガードの形状はステップの前側及び横外側に張出す平板であれば特に限定されないが、特に前記ステップとステッププレートとの隙間を覆う形状に形成されると、ステップとステッププレートとの間に泥が跳ね上げられるおそれがなくなり、前輪周りの清掃ないし洗浄が容易になるので好ましい。
【００１８】
又、前記ステップガードの周縁を丸めると、手触りがよくなり、人が接触してもケガをし難くなると共に、美観が高められるので好ましい。
【００１９】
【発明の実施の形態】
本発明の一実施例に係るフォークリフトを図面に基づいて具体的に説明すれば、以下の通りである。図１は本発明の一実施例に係るフォークリフトのステップ周りの平面図であり、図２はその側面図であり、図３はこのフォークリフト全体の側面図である。
【００２０】
この図３に示すように、このフォークリフトでは、車体２１の前部にマスト２２をティルト可能に支持し、このマスト２２に昇降可能に支持させたリフトブラケット２３にフィンガバー２４を介してフォーク２５をシフト可能に支持させている。
【００２１】
前記マスト２２はティルトシリンダ２６によりティルト駆動され、リフトブラケット２３はマスト２２を伸縮させるリフトシリンダ２７で昇降駆動する。又、前記フィンガバー２４及びフォーク２５はリフトブラケット２３に支持させたシフトシリンダ２８によりシフト駆動される。
【００２２】
さて、前記図１と図２とに示すように、このフォークリフトのフレーム１は運転台を支持する左右のラテラルプレート２と、これらを連結するフロントクロスプレート３と、左右のラテラルプレート２の左右両外側に固定されたステッププレート４とを備える。
【００２３】
このステッププレート４は前輪５（図１では省略）の上方に延出され、前輪５の上方で、その上面にエプロン隅柱６（図１では省略）とティルトシリンダ受け７とが溶接されている。
【００２４】
このステッププレート４にプラスチック製のステップ８を上から被せ、このステップ８をステッププレート４の下面よりも下方に延出させて、ステッププレート４が前方向、上方向及び左右の横方向から、又、エプロン隅柱６の下部が前方向及び左右の横方向から、更にティルトシリンダ受け７が上方向及び左右の横方向から見えないようにしている。又、このステップ８はステッププレート４よりも前方に延出され、これにより、前輪５を上から覆う前輪フェンダとして機能するようにしている。
【００２５】
なお、このステップ８にはラテラルプレート２に沿って立上る面が設けられ、この面でラテラルプレート２を側方から隠すようにしている。
【００２６】
ところで、前記ステッププレート４は、前輪５の上側で水平に延びる先端部９を備え、この先端部９の下面にステップガード１０が２〜４本のボルト１１により固定される。
【００２７】
図４はこのステップガード１０の平面図であり、図５はその側面図である。図１とこの図４に示すように、このステップガード１０は、前記ステッププレート４の先端部９の下側と、ステップ８のステッププレート４先端部９から左右及び前にはみ出した部分の下側とを覆い、更にステップの前縁とこれに連続する横外側縁から張出す形状に形成した平鋼板からなる本体１２と、これの上面のステッププレート４に重複させる部分に前後に適当な間隔をおいて溶接された帯鋼からなる２枚の座金１３とを備える。
【００２８】
図２と図５とに示すように、この座金１３の高さを、好ましくはステッププレート４の先端部９の下面とステップ８の下縁との高低差に等しくして、ステッププレート４の先端部９の下面にステップガード１０をあてがうと、ステップガード１０の本体１２の上面がステップ８の下面に位置するようにしている。
【００２９】
又、図４に示すように、このステップガード１０の各座金１３には該座金１３を上下に貫通する左右に長い長孔１４が左右に適当な間隔を置いて２口形成され、又、これらの長孔１４に対応させて前記本体１２にボルト１１の頭を沈めるための円孔１５が形成される。
【００３０】
そして、図５に示すように、前後合わせて４口の長孔１４に挿通された前記ボルト１１をステッププレート４に螺締すると、ステップガード１０がステッププレート４の下面に固定され、又、これらボルト１１の頭は前記円孔１５内に沈んで側方からは見えなくなる。
【００３１】
なお、必要に応じて、座金１３とステッププレート４との間に前記ボルト１１が挿通される調整座金（ワッシャ）を挿入して、ステップガード１０の本体１２の上面がステップ８の下面に当接するようにステップガード１０のステッププレート４に対する取付け高さを調整するようにしてもよい。
【００３２】
又、ステップ８から張出した本体１２の部分の周縁（図４に×印を付した部分）の表裏の稜部を丸めることにより、美観を高めると共に、手触りをよくし、更に、他物や手などが接触したときに切り傷を受け難くなるようにしている。
【００３３】
さて、このフォークリフトによれば、ステッププレート４はステップ８に覆われて前方向、上方向及び横方向からは見えないので、ステッププレート８が露出して安っぽく見えることがなく、美観が損なわれることがない。
【００３４】
又、ステップ８の前側や横外側からステップ８に向かって接近する他物はステップガード１０の周縁に受止められるので、ステップ８が他物に衝突することがないから、ステップ８が割れるおそれはなくなる。
【００３５】
更に、ステップガード１０がステッププレート４とは別体に形成されているので、他物との衝突によりステップガード１０が変形しても、ステップレート４が変形することはほとんどなく、ステップガード１０だけを交換すればよく、補修費用を安価にすることができる。
【００３６】
又更に、ステップガード１０がステッププレート４の先端部９及びこれから左右及び前にはみ出したステップ８の部分を下側から覆うので、ステップ８とステッププレート４の先端部との間に泥が跳ね上げられるおそれがなく、前輪５の周りの清掃ないし洗浄を簡単にできる。
【００３７】
加えて、前記ステップガード１０は平板からなるので、安価に製造でき上、これを取外すことにより、外観を重視してステップガードなしのフォークリフトを求めるユーザの要望に簡単に対応することができる。
【００３８】
図６は本発明の他の実施例に係るフォークリフトのステップ周りの平面図であり、図７はその側面図であり、これら図６と図７とに示すように、この実施例ではステッププレート４の先端部９から前方に延びる左右対を成すステー１６が設けられ、各ステー１６の前後両端部に前記ボルト１１を螺合するネジ孔が形成される。
【００３９】
このステー１６の板厚は、ステッププレート４の先端部９の下面とステップ８の下縁との高低差に等しくして、ステー１６の下面にステップガード１０をあてがうと、ステップガード１０の本体１２の上面がステップ８の下面に位置するようにしている。
【００４０】
この実施例のステップガード１０は、前記ステッププレート４の先端部９の下側と、ステップ８のステッププレート４先端部９から左右及び前にはみ出した部分の下側とを覆い、更にステップの前縁とこれに連続する横外側縁から張出す形状に形成した平鋼板からなる本体１２のみからなり、前記ステー１６のネジ孔に対応するこの本体１２の部分に左右に長い長孔が形成され、この長孔に挿通したボルト１１をステー１６のネジ孔に螺締することにより、ステップガード１０がステッププレート４の先端部９下面に固定される。なお、この場合。ボルト１１の頭はステップガード１０の下面に露出する。
【００４１】
この実施例のその他の構成、作用及び効果は前例のそれらと同様である。
【００４２】
【発明の効果】
以上に説明したように、本発明のフォークリフトは、フレームの左右両側部に設けられたステッププレートを前輪の上側に延出し、ステッププレートを前方、側方及び上方から覆うと共に前輪を上方から覆うプラスチックス製のステップを設けたフォークリフトにおいて、前記前輪の上側で前記ステッププレートの下面に固定され、前記ステップの下面に沿ってステップよりも前側及び横側に張出す平板形状に形成されたステップガードを備えることを特徴とするので、以下の作用と効果を得ることができる。
【００４３】
先ず、ステッププレートはステップにより前方、側方及び上方から覆われているので、ステッププレートが見えないという作用が得られ、これにより、ステッププレートが見えて外観が安っぽくなることがなく、美観が損なわれないという効果を得ることができる。
【００４４】
又、ステップの前側や横外側からステップに向かって接近する他物はステップガードの周縁に受止められるという作用を得ることができ、これにより、ステップが他物に衝突することがないから、ステップが割れるおそれがなくなるという効果を得ることができる。
【００４５】
更に、ステップガードがステッププレートとは別体に形成されているので、他物との衝突によりステップガードが変形しても、ステップレートが変形することがないという作用を得ることができるので、ステッププレートが変形すればステップガードだけを交換すればよく、補修費用を安価にすることができる。
【００４６】
加えて、前記ステップガードは所定の形状に形成した平板からなるので、安価に製造できるという効果を得ることができる。
【００４７】
ところで、本発明において、前記ステップガードがステッププレートの下面にボルトで取付けられる構成を採用すれば、ボルトを緩解することにより簡単にステップガードを取外すことができ、又、ボルトの螺締によりステップガードを簡単に装着できるという作用が得られるので、ステップガードの着脱、交換が簡単になり、外観を重視してステップガードなしのフォークリフトを求めるユーザの要望に簡単に対応することができるという効果を得ることができる。
【００４８】
又、本発明において、前記ステップガードを、ステッププレートとステップとの隙間を覆い、該ステップの前縁及びこれに連続する横側縁よりも突出する平延板で構成すると、ステップガードがステッププレートの先端部及びこれから左右及び前にはみ出したステップの部分を下側から覆うという作用を得ることができ、これにより、ステップとステッププレートの先端部との間に泥が跳ね上げられるおそれがなくなり、前輪の周りの清掃ないし洗浄を簡単にできるという効果を得ることができる。
【００４９】
更に、本発明において、前記ステップガードのステップから張出す外周縁部分が丸められると、美観が高められる上、ステップガードの周縁の手触りがよくなり、ステップガードに接触した他物や人体に接触による切り傷が付き難くなる等の効果を得ることができる。
【図面の簡単な説明】
【図１】本発明の平面図である。
【図２】本発明の側面図である。
【図３】本発明の側面図である。
【図４】本発明の平面図である。
【図５】本発明の側面図である。
【図６】本発明の平面図である。
【図７】本発明の側面図である。
【図８】従来例の側面図である。
【図９】従来例の斜視図である。
【符号の説明】
１　フレーム
４　ステッププレート
５　前輪
８　ステップ
１０　ステップガード
１１　ボルト
【図１】
2004075339.tif 000003
【図２】
2004075339.tif 000004
【図３】
2004075339.tif 000005
【図４】
2004075339.tif 000006
【図５】
2004075339.tif 000007
【図６】
2004075339.tif 000008
【図７】
2004075339.tif 000009
【図８】
2004075339.tif 000010
【図９】
2004075339.tif 000011